(57)【要約】【課題】ブロック積みや石材等の塊状部材その他を簡便且つ迅速に載置して安全に吊り上げたり吊り降ろしたり、また移動させることのできる取扱い容易で安価な工具を市販に提供する。【解決手段】巾寸法３ｃｍ〜７ｃｍ、長さ寸法１ｍ〜５ｍとなした束紐体の両端にリング体を形成した吊り上げ単体の４本を作成し、各単体の片端側リング体を夫々れ異なる他の吊り上げ単体の束紐体に挿通し、これにより４本の吊り上げ単体の片端側リング体と同束紐体とで中央へ井桁枠を形成し、該井桁枠を２０ｃｍ〜３ｍの長さ範囲でサイズ変形可能の構成になさしめることを特徴とする。このさい、吊り上げ単体のリング体は片端側を１５ｃｍ〜３０ｃｍの大径に、他端側を６ｃｍ〜１５ｃｍの小径となしたり、４本の各吊り上げ単体に於ける小径のリング体を使用して、井桁枠を構成させたりする。【選択図】      図２
2004277021.tif 000002
【特許請求の範囲】
【請求項１】
巾寸法３ｃｍ〜７ｃｍ、長さ寸法１ｍ〜５ｍとなした束紐体の両端にリング体を形成した吊り上げ単体の４本を作成し、各単体の片端側リング体を夫々れ異なる他の吊り上げ単体の束紐体に挿通し、これにより４本の吊り上げ単体の片端側リング体と同束紐体とで中央へ井桁枠を形成し、該井桁枠を２０ｃｍ〜３ｍの長さ範囲でサイズ変形可能の構成になさしめることを特徴とした吊り上げ工具。
【請求項２】
吊り上げ単体のリング体は片端側を１５ｃｍ〜３０ｃｍの大径に、他端側を６ｃｍ〜１５ｃｍの小径となしたことを特徴とする請求項１記載の吊り上げ工具。
【請求項３】
４本の各吊り上げ単体に於ける小径のリング体を使用して、井桁枠を構成するものとなしたことを特徴とする請求項２記載の吊り上げ工具。
【請求項４】
束紐体はポリエステル原糸の多数本を束ね、これを保護布で巻き縫製し、直径１ｃｍ〜３ｃｍの軟屈筒体となしたことを特徴とする請求項１，２又は３記載の吊り上げ工具。
【発明の詳細な説明】
【０００１】
【発明の属する技術分野】
本発明はブロックや墓石等に於ける塊状部材の吊り上げやその移動にさいし、使用する吊り上げ工具に関する。
【０００２】
【従来の技術】
従来、磨き上げた墓石、石碑、灯籠等の石材商品を傷付けないように移送するには、数人がかりで慎重に抱えて運んだり、巧みにロープで括って落さないように運んでいた。重量物を数人が抱えて運ぶさい、運び手の息が合わなかったり、運び手の危険予知能力や作業の熟年度の差によって、荷重負担のバランスを崩すのであり、とりわけ球形状のものをロープで括ることは困難なことから落下の危険度が大である。
【０００３】
人手によらずクレーン等で吊り上げ作業することも一般的に行われているが、塊状部材のものはワイヤーやロープ掛けが困難であり、且つ安全のために多数のワイヤー掛けを施すと商品が傷付けられたりする問題がある。
【０００４】
【特許文献】
特開平８−２０８１７５号
【０００５】
【発明が解決しようとする課題】
本発明は、ブロック積みや石材等の塊状部材その他を簡便且つ迅速に載置して安全に吊り上げたり吊り降ろしたり、また移動させることのできる取扱い容易で安価な工具を市販に提供せんとするものである。
【０００６】
【課題を解決するための手段】
本発明は、巾寸法３ｃｍ〜７ｃｍ、長さ寸法１ｍ〜５ｍとなした束紐体の両端にリング体を形成した吊り上げ単体の４本を作成し、各単体の片端側リング体を夫々れ異なる他の吊り上げ単体の束紐体に挿通し、これにより４本の吊り上げ単体の片端側リング体と同束紐体とで中央へ井桁枠を形成し、該井桁枠を２０ｃｍ〜３ｍの長さ範囲でサイズ変形可能となさしめる。
【０００７】
このさい、吊り上げ単体のリング体は片端側を１５ｃｍ〜３０ｃｍの大径に、他端側を６ｃｍ〜１５ｃｍの所謂異なる大きさの径のものとなし、井桁枠は専ら小径のリング体を使用し、大径のリング体をフック掛け用に使用する。又、束紐体はポリエステル原糸などの多数本を束ね、これを保護布で巻き縫製し、直径凡そ１ｃｍ〜３ｃｍ程度の軟屈筒体となすのである。
【０００８】
【発明の実施の形態】
図１は本発明に係る吊り上げ工具を構成するための吊り上げ単体１の一部破断斜視図であって、本図から明らかな通り束紐体１は中央部に巾寸法Ｓを３ｃｍ〜７ｃｍ、長さ寸法Ｌを１ｍ〜５ｍとなした束紐体１ａの両端に夫々れリング体１ｂ、１ｂ’を形成したものとなされる。このさい、各リング体１ｂ、１ｂ’は同一寸法径のものになされても良いが、専ら片端側（図示例で１ｂ）Ｌ’は１５ｃｍ〜３０ｃｍ程度の大径に形成されるものとなし、そして他端側（図示例で１ｂ’）Ｌ”は６ｃｍ〜１５ｃｍ程度の小径に形成させるものとなすのである。これは上述する井桁枠の作成にさいしては専ら小径のリング体１ｂ’を使用して行い、他の大径のリング体１ｂはフック側でフック用に使用することが本発明者らの数多実験結果から使用勝手の大変良いものであることが解った。
【０００９】
図２は上記の吊り上げ単体１の４本を組み合わせた本発明になる吊り上げ工具である。該図から明らかな通り、本発明品は上記単一の吊り上げ単体１の１つのリング体（図示例では小径）を夫々れ異なる他の単体の束紐体箇所へ挿通させるようになすのである。具体的に図示例では単体１のリング体１ｂ’は単体１’の束紐体１’ａに挿通し、単体１’のリング体１’ｂ’は単体１”の束紐体１”ａに挿通し、単体１”のリング体１”ｂ’は単体１”の束紐体１’’’ａに挿通し、単体１’’’のリング体１’’’ｂ’は単体１の束紐体１ａに挿通したものとなすことにより、中央に井桁枠２が形成されるものとなるのである。
【００１０】
而して、上記井桁枠２のサイズ調整は適宜に各リング体と束紐体との位置関係を摺動変位させることにより行うのであり、具体的には吊り上げ体の大きさや形状に因りＷ寸法を２０ｃｍ〜３ｍの範囲で変化させ、小さいものでは割り石や、ブロック、そして墓石など、そして大きいものでは車体などの重量物の吊り上げ移動を可能なさしめるのである。
【００１１】
上記束紐体は専ら強靱なポリエステル原糸ｐの多数本を束ね、これを保護布ｋで巻き縫製するのであり、一般的に１トン、２トン用のものが多用されるが、車体などの吊り上げ用としては３トン〜４トン用のものも作成するのであり、全体を通じてその径の太さは凡そ１ｃｍ〜３ｃｍ程度のものとなされる。
【００１２】
図３は上記構成の吊り上げ工具を使用して直径１ｍの石球３を吊り上げた状態を示すものであり、４はフックである。
本発明品では、井桁枠２のサイズ調整が極めて簡便且つ迅速に行うことができる上、全体がソフトタッチのため取扱いが容易であり、且つ対象物との適合性、密着性に優れて安全上からも非常に優れたものになるのである。
【００１３】
上記は４本の吊り上げ単体を組合せ、中央部に大小様々な井桁枠２を形成し、該井桁枠２上へ各種吊り上げ物体３を載置して行うようにするものであるが、初めに吊り上げ物体３の重量や形状などの関係で、該吊り上げ物体３を井桁枠２上へ載置することが困難な場合には、各４本の吊り上げ単体を分解した状態で吊り上げ物体３の底面側、或いはこれを取り囲むように置き、夫々れの各単体を
【０００９】で説明した要領で組合せて係合させることにより、極めて容易にその吊り上げ状態の構成を完成することができるものとなる。
なお、吊り上げて移動後の該吊り上げ工具の取り外しは、井桁枠２を少し大きくなるように各リング体位置を適宜移動させるとか、或いは前述の逆操作で分解することにより吊り上げ物体の形状の如何に拘わらず容易に取外すことができるものとなる。
【００１４】
上記のほか、本発明は各吊り上げ単体を単独に、或いはその２本や３本を組合せて使用することも何ら差支えなく、且つその吊り上げ形態は様々となる。
【００１５】
【発明の効果】
本発明は以上の如く構成するものであって、簡単に分解組立てができるため、携行や運搬に嵩張らないで機動性に富む。而して、形状や大小の如何に拘わらず吊り上げて必要な高さや位置への移動を可能ならしめることができるのであり、そのさいソフトタッチで且つ密着性に優れることから被対象物を傷付けたり損壌したりしないで安全な吊り上げ状態を確保できるものとなる。
なお、作業性に抜群に優れ従って作業効率の飛躍的な向上を図ることのできるものである。又、単体の部分的な取替えや補修が簡便容易であるため、保守管理にも優れてコストの低減化にも寄与するものである。
【図面の簡単な説明】
【図１】本発明に係る吊り上げ工具を構成するための吊り上げ単体の一部破断斜視図である。
【図２】上記の吊り上げ単体の４本を組合せた本発明製品図である。
【図３】上記の使用状態図である。
【符号の説明】
１      吊り上げ単体
１ａ    束紐体
１ｂ、１’ｂ      リング体
２      井桁枠
３      吊り上げ物体
【図１】
2004277021.tif 000003
【図２】
2004277021.tif 000004
【図３】
2004277021.tif 000005